(57)【要約】【課題】記憶性表示体に好適であり、かつ、多様な操作を可能にする。【解決手段】表示装置１０は、本体１０ａと、この本体１０ａに接続されたスキャナ１０ｂとを備える。また、本体１０ａは、コレステリック液晶等の記憶性表示体による表示面１６Ｄを備える。本体１０ａには、所定の操作が割り当てられた操作ポイントＰ１、Ｐ２およびＰ３が設けられている。操作ポイントＰ１、Ｐ２およびＰ３には、それぞれに割り当てられた操作を特定する情報が識別コード（バーコード）によって表されている。ユーザは、スキャナ１０ｂを用いて、操作ポイントＰ１〜Ｐ３に設けられた識別コードや表示面１６Ｄに表示された識別コードを読み取らせる。表示装置１０は、読み取った識別コードから操作の内容を特定するとともに、その内容に応じた表示データを生成または取得し、表示面１６Ｄに表示させる。【選択図】図１
2008242155.tif 000002
【特許請求の範囲】
【請求項１】
記憶性表示装置と書換装置とを備える記憶性表示システムであって、
前記記憶性表示装置は、
前記書換装置と通信可能に接続し、当該書換装置から表示データを受信する第１の接続手段と、
前記第１の接続手段により受信された表示データに応じた表示を記憶性表示体により行う記憶性表示手段とを備え、
前記書換装置は、
前記第１の接続手段と通信可能に接続し、当該記憶性表示装置に表示データを送信する第２の接続手段と、
前記記憶性表示装置が行う表示の内容を特定する情報を所定の規則で表した記号を光学的に読み取る読取手段と、
前記読取手段により読み取られた記号が表す情報に対応する表示データを生成または取得し、前記第２の接続手段に前記記憶性表示装置が接続されているときに、当該表示データを前記第２の接続手段を介して前記記憶性表示装置に供給する供給手段とを備える
ことを特徴とする記憶性表示システム。
【請求項２】
前記書換装置は、
前記記憶性表示装置に電力を供給する電力供給手段を備え、
前記記憶性表示手段は、
前記電力供給手段により供給された電力を用いて表示の書き換えを行う
ことを特徴とする請求項１に記載の記憶性表示システム。
【請求項３】
前記書換装置は、
複数の前記表示データを記憶するデータ記憶手段を備え、
前記供給手段は、
前記データ記憶手段に記憶された複数の表示データから前記読取手段により読み取られた記号が表す情報に対応する表示データを読み出して取得する
ことを特徴とする請求項１に記載の記憶性表示システム。
【請求項４】
前記書換装置は、
前記情報に対応する表示データを生成するために必要なデータを外部から受信する通信手段を備え、
前記供給手段は、
前記通信手段により受信されたデータを用いて表示データを生成する
ことを特徴とする請求項１に記載の記憶性表示システム。
【請求項５】
前記第２の接続手段は、
搬送波を前記供給手段により供給された表示データに応じて変調した変調波を供給する変調波供給手段と、
前記変調波供給手段により供給された変調波を送信する送信手段とを備え、
前記第１の接続手段は、
前記送信手段により送信された変調波を受信する受信手段と、
前記受信手段により受信された変調波を復調して表示データを取得するデータ取得手段と、
前記受信手段により受信された変調波から前記記憶性表示装置の動作に係る電力を取得する電力取得手段とを備える
ことを特徴とする請求項１に記載の記憶性表示システム。
【請求項６】
前記供給手段は、
ある情報を前記所定の規則で表した記号を表示内容に含む表示データを生成する
ことを特徴とする請求項１に記載の記憶性表示システム。
【請求項７】
前記書換装置は、
前記読取手段により読み取られた記号が表す情報を記憶する情報記憶手段を備え、
前記供給手段は、
前記情報記憶手段に記憶された情報を表す前記記号を表示内容に含む表示データを生成する
ことを特徴とする請求項６に記載の記憶性表示システム。
【請求項８】
前記記号がバーコードまたは２次元コードであることを特徴とする請求項１に記載の記憶性表示システム。
【請求項９】
表示の内容を特定する情報を所定の規則で表した記号を光学的に読み取る読取手段と、
前記読取手段により読み取られた記号が表す情報に対応する表示データを生成または取得し、当該表示データを供給する供給手段と、
前記供給手段により供給された表示データに応じた表示を記憶性表示体により行う記憶性表示手段と、
前記読取手段により記号が読み取られると、前記供給手段および前記記憶性表示手段に電力を供給する電力制御手段と
を備えることを特徴とする記憶性表示装置。
【発明の詳細な説明】
【技術分野】
【０００１】
本発明は、記憶性表示体を用いた表示装置において表示内容の書き換えを行う技術に関する。
【背景技術】
【０００２】
記憶性表示体を用いた表示装置（以下「記憶性表示装置」という。）が利用されている。ここにおいて、記憶性表示体とは、表示を書き換えるときにのみ電力を要し、表示内容の維持は実質的に無電力で行える表示体のことである。記憶性表示装置は、このような表示内容の記憶性によって消費電力の低減を可能にし、その携帯を容易ならしめている。そのため、記憶性表示装置は、小型であることや持ち運びが可能であることが要求される用途に特に好適であるといえる。
【０００３】
ところで、記憶性表示装置においても、いわゆる対話型のインタフェースを利用できると便利である。かかるインタフェースとしては、例えば、カーソルなどを表示面に表示してユーザの選択を促すものが代表的である。また、特許文献１に記載された技術のように、電磁結合方式で情報をやりとりするインタフェース（接続部）を設ける構成や、特許文献２に記載された技術のように、バーコードを読み取らせる構成も知られている。
【特許文献１】特開２００６−２７７２６１号公報
【特許文献２】特開平７−１６０４５５号公報
【発明の開示】
【発明が解決しようとする課題】
【０００４】
しかし、記憶性表示装置は、その特性上、表示内容を頻繁に書き換えるような態様には不向きであるため、カーソルを表示するようなインタフェースは適していない。また、特許文献１に記載された技術の場合は、操作できるポイントがあらかじめ決められた接続部のみに限定されるため、例えば、表示面に表示された情報を選択するような操作が制限される。なお、特許文献２に記載された技術は、記憶性表示装置を対象とした技術ではないため、これを単純に記憶性表示装置に適用するのは適当でない。
本発明は、かかる事情に鑑みてなされたものであり、その目的は、記憶性表示体に好適であり、かつ、多様な操作を可能にするインタフェースを提供することにある。
【課題を解決するための手段】
【０００５】
本発明に係る記憶性表示システムは、記憶性表示装置と書換装置とを備え、前記記憶性表示装置は、前記書換装置と通信可能に接続し、当該書換装置から表示データを受信する第１の接続手段と、前記第１の接続手段により受信された表示データに応じた表示を記憶性表示体により行う記憶性表示手段とを備え、前記書換装置は、前記第１の接続手段と通信可能に接続し、当該記憶性表示装置に表示データを送信する第２の接続手段と、前記記憶性表示装置が行う表示の内容を特定する情報を所定の規則で表した記号を光学的に読み取る読取手段と、前記読取手段により読み取られた記号が表す情報に対応する表示データを生成または取得し、前記第２の接続手段に前記記憶性表示装置が接続されているときに、当該表示データを前記第２の接続手段を介して前記記憶性表示装置に供給する供給手段とを備えることを特徴とする。
かかる記憶性表示システムによれば、記号が表す操作の内容を特定し、その内容に応じた表示を行うことが可能となる。すなわち、この記憶性表示システムによれば、記号を読み取ることにより種々の操作を行うことができる。また、かかる記憶性表示システムによれば、記号の読み取りや表示データの取得・生成に係る構成を記憶性表示装置とは別体に構成することが可能となるため、これらを一体に構成した場合に比べて、記憶性表示装置
の構成をより簡単にすることが可能となる。それゆえ、かかる構成は、複数の記憶性表示装置を用いる場合において特に好適な態様であるといえる。
なお、ここにおいて「記号」とは、文字および符号を含むものである。また、ここにおいて「情報」とは、表示手段に表示される文字や画像を特定するデータであり、例えば、ＵＲＩ（Uniform Resource Identifier）やファイル名などである。
【０００６】
本発明に係る記憶性表示システムにおいて、前記書換装置は、前記記憶性表示装置に電力を供給する電力供給手段を備え、前記記憶性表示手段は、前記電力供給手段により供給された電力を用いて表示の書き換えを行う構成であってもよい。このようにすれば、記憶性表示装置を電源を設けない構成とすることが可能である。また、記憶性表示装置は、表示を書き換えるときだけ電力を消費するので、電力供給手段は、表示の書き換えの前後においてのみ電力を供給し、その他のときには電力を供給しなくてもよい。
【０００７】
本発明に係る記憶性表示システムにおいて、前記書換装置は、複数の前記表示データを記憶するデータ記憶手段を備え、前記供給手段は、前記データ記憶手段に記憶された複数の表示データから前記読取手段により読み取られた記号が表す情報に対応する表示データを読み出して取得する構成であってもよい。このようにすれば、例えば、あらかじめ記憶された小説等のページ物の文書を表示させることが可能となる。
【０００８】
本発明に係る記憶性表示システムにおいて、前記書換装置は、前記情報を外部から受信する通信手段を備え、前記供給手段は、前記通信手段により受信された情報に対応する表示データを生成する構成を採用してもよい。このようにすれば、例えば、ハイパーテキストを用いたウェブページ等を情報として受信し、これに基づいて表示手段による表示に適合した表示データを生成することが可能となる。また、この場合において、表示内容に記号を含んだ表示データを生成すれば、新たな情報を次々に受信することも可能となる。
【０００９】
本発明に係る記憶性表示システムにおいて、前記第２の接続手段は、搬送波を前記供給手段により供給された表示データに応じて変調した変調波を供給する変調波供給手段と、前記変調波供給手段により供給された変調波を送信する送信手段とを備え、前記第１の接続手段が、前記送信手段により送信された変調波を受信する受信手段と、前記受信手段により受信された変調波を復調して表示データを取得するデータ取得手段と、前記受信手段により受信された変調波から前記記憶性表示装置の動作に係る電力を取得する電力取得手段と備える構成を採用してもよい。このようにすれば、表示データと電力とを無線で取得することが可能となる。
【００１０】
本発明に係る記憶性表示システムにおいて、前記供給手段は、ある情報を前記所定の規則で表した記号を表示内容に含む表示データを生成する構成であってもよい。このようにすれば、書き換えを行う毎に新たな操作を行わせることが可能となる。
また、この場合において、前記書換装置は、前記読取手段により読み取られた記号が表す情報を記憶する情報記憶手段を備え、前記供給手段は、前記情報記憶手段に記憶された情報を表す前記記号を表示内容に含む表示データを生成する構成であってもよい。このようにすれば、記号が表す情報を複数記憶し、これをある記憶性表示装置に一覧表示させることが可能となる。
【００１１】
本発明に係る記憶性表示システムにおいて、前記記号はバーコードまたは２次元コードであってもよい。このようにすれば、より複雑な記号を読み取る場合に比べ、記号の読み取りに係る構成を簡単にすることが可能である。しかしながら、もちろん、上述のように文字やその他の符号を用いることも可能である。
【００１２】
また、本発明に係る記憶性表示装置は、表示の内容を特定する情報を所定の規則で表し
た記号を光学的に読み取る読取手段と、前記読取手段により読み取られた記号が表す情報に対応する表示データを生成または取得し、当該表示データを供給する供給手段と、前記供給手段により供給された表示データに応じた表示を記憶性表示体により行う記憶性表示手段と、前記読取手段により記号が読み取られると、前記供給手段および前記記憶性表示手段に電力を供給する電力制御手段とを備えることを特徴とする。
かかる記憶性表示装置によれば、記号の読み取りを契機に電力の供給が行われるため、不要な電力消費を低減させることが可能となる。
【発明を実施するための最良の形態】
【００１３】
以下、図面を参照し、本発明の実施の形態を説明する。
［第１実施形態］
図１は、本発明の第１の実施形態である表示装置の外観を示す図である。本実施形態の表示装置１０は、いわゆる電子ペーパであり、本体１０ａと、本体１０ａに接続されたスキャナ１０ｂとを備える。本体１０ａは、表示に係る諸機能を有する。スキャナ１０ｂは、例えばユーザが把持して操作するペン型の器具であり、識別コードを光学的に読み取る機能を有する。
【００１４】
なお、スキャナ１０ｂは、本体１０ａとは別個の電源により動作するのが望ましい。例えば、スキャナ１０ｂは、一次電池等の電源を内蔵するとともに、動作のオン・オフを切り替えるスイッチを設ける構成とするのが望ましい。このようにすれば、ユーザが必要とする時だけにスキャナ１０ｂを動作させることができる。このスイッチは、スキャナ１０ｂの先端付近の、ユーザが指で容易に操作できる位置に設けられていると、より望ましい。
また、スキャナ１０ｂは、携帯性を考慮した場合はペン型であるのが望ましいが、ペン型でなくともよい。例えば、先端部分を幅広にし、ユーザが移動をさせなくても識別コードを読み取れるような構成としてもよい。
【００１５】
ここで、識別コードについて説明する。本実施形態の識別コードは、いわゆるバーコードであり、文字や数字等の記号をバー（線）とスペース（空白）とにより表した符号である。ここにおいて、バーには複数の太さ（幅）があってもよい。それぞれの記号は、所定の規則により複数のバーとスペースとで表される。識別コードを表す規則としては、例えばCode128を用いることができるが、その他の汎用または専用の規則を用いてもよい。本実施形態の識別コードは、アルファベット（英文字）や数字に加え、「／（スラッシュ）」や「：（コロン）」といった記号を表すことができるものとする。
【００１６】
本実施形態の表示装置１０は、図１に示すように、このような識別コードが本体１０ａに印刷されている。識別コードは、ボタン状の操作ポイントＰ１、Ｐ２およびＰ３の内部に印刷されている。操作ポイントＰ１、Ｐ２およびＰ３は、それぞれ、所定の操作に割り当てられた画像である。本実施形態においては、操作ポイントＰ１は１つ前の表示状態に戻す操作に割り当てられており、操作ポイントＰ２は１つ後の表示状態に進める操作に割り当てられているものとする。また、操作ポイントＰ３は、後述するメニュー画面を表示させる操作に割り当てられているものとする。
【００１７】
図２は、表示装置１０の構成を示すブロック図である。同図に示すように、表示装置１０は、制御部１１と、電力制御部１２と、記憶部１３と、通信部１４と、表示制御部１５と、表示部１６と、読取部１７とを備える。なお、本体１０ａは、制御部１１、電力制御部１２、記憶部１３、通信部１４、表示制御部１５および表示部１６を備え、スキャナ１０ｂは、読取部１７を備える。
【００１８】
制御部１１は、ＣＰＵ（Central Processing Unit）やメモリを備え、記憶部１３に記
憶されたプログラムを実行することによって表示装置１０の各部の動作を制御する。また、制御部１１は、ＨＴＭＬ（HyperText Markup Language）形式で記述されたウェブページを解釈する、いわゆるブラウザの機能や、表示部１６により表示される表示データを生成する機能を有する。
【００１９】
ここにおいて、表示データとは、表示装置１０において表示される文字や画像を表すデータであり、表示装置１０の表示面に表示されるページ単位のデータである。本実施形態においては、表示データは、複数のページで１の文書を構成するものであるとする。また、表示データは、それぞれが表す文書を特定する情報と、その文書におけるページ数を特定する情報とを含んでいる。前者の情報のことを、以下では「タイトル情報」といい、後者の情報のことを、以下では「ページ情報」という。なお、タイトル情報とページ情報とは、いわゆるファイル名として記述されていてもよい。
【００２０】
電力制御部１２は、二次電池等の電源を備え、制御部１１や表示制御部１５の動作に係る電力を供給する。電力制御部１２は、読取部１７から出力される検知信号に基づき、本体１０ａの動作を制御する。
記憶部１３は、例えば、フラッシュメモリ等の書き換え可能な記憶媒体を備え、表示データや制御部１１が実行するプログラムを記憶する。なお、記憶部１３は、表示データを記憶する記憶媒体とプログラムを記憶する記憶媒体とを別個に備えていてもよい。この場合、表示データを記憶する記憶媒体は、いわゆるメモリカードのように、着脱や入れ替えが可能な構成であると望ましい。
通信部１４は、インターネット等のネットワークに接続する通信インタフェースであり、ネットワークからデータを受信する。
【００２１】
表示制御部１５は、表示部１６を駆動するための駆動回路を備え、表示部１６の表示を制御する。表示制御部１５は、制御部１１から表示データを取得し、表示データに応じた駆動電圧を表示部１６に供給する。
表示部１６は、所定の表示面（図１の１６Ｄ）に文字や画像を表示する。表示部１６の表示面は、それぞれが供給された駆動電圧に応じた階調を呈する複数の画素により構成される。本実施形態において、表示部１６の各画素は、記憶性液晶による液晶層を有する。ここにおいて、記憶性液晶とは、電圧を印加し続けなくても実質的に同一の表示状態（すなわち階調）を維持することが可能な液晶（表示体）のことである。この記憶性液晶としては、例えばコレステリック液晶が用いられる。
【００２２】
読取部１７は、識別コードを光学的に読み取るセンサ部を備え、識別コードを読み取って得られるコード情報を生成する。すなわち、コード情報とは、バーやスペースの並びを表す２値（２階調）の情報である。読取部１７のセンサ部は、スキャナ１０ｂの先端に設けられている。センサ部としては、例えば、光源とエリアセンサ（またはラインセンサ）とを備えたものを用いることができる。
また、読取部１７は、識別コードの読み取りに成功すると、識別コードを正常に検知したことを示す検知信号を出力する。検知信号の出力先は、電源制御部１２である。
【００２３】
表示装置１０の構成は、以上のとおりである。続いて、本実施形態の表示装置１０が行う動作を説明する。
本実施形態の表示装置１０は、記憶部１３に記憶された小説等の文書を表示したり、インターネット等を介して公開されているウェブページを表示したりすることができる。そこで、以下の説明においては、記憶部１３に記憶されたデータを表示する場合とネットワークを介して取得したデータを表示する場合とをそれぞれ説明する。
【００２４】
なお、本実施形態の表示装置１０は、ユーザが操作を開始する場合に、まずメニュー画
面を表示面に表示する。メニュー画面とは、例えば図３に示すような画面である。メニュー画面には、次に選択すべき操作、すなわち、ウェブページを閲覧する操作と記憶部１３に記憶（保存）されている文書の一覧を表示する操作とを示す識別コードが含まれている。ユーザは、スキャナ１０ｂをその手に持ち、先端部で所望の操作に対応する識別コードを決められた方向（例えば、左から右）になぞるような動作を行う。以下においては、この動作のことを「スキャン」といい、この動作を行うことを「スキャンする」という。つまり、メニュー画面を表示させる操作とは、上述した操作ポイントＰ３をスキャンする操作である。
【００２５】
図４は、表示装置１０の動作を示すシーケンスチャートである。ここでは、スキャナ１０ｂの動作と、スキャナ１０ｂの動作に応じた本体１０ａの動作とを説明する。
まず、スキャナ１０ｂは、読取部１７において識別コードが読み取られたか否かを判断する（ステップＳａ１）。スキャナ１０ｂは、電力を供給されている間、すなわちオンである間は、この判断を繰り返す。そして、スキャナ１０ｂは、識別コードの読み取りに成功すると、検知信号を本体１０ａに供給し（ステップＳａ２）、その後所定の時間が経過したら、識別コードを読み取って得られたコード情報を本体１０ａに供給する（ステップＳａ４）。
【００２６】
本体１０ａは、スキャナ１０ｂから検知信号を取得すると、これを契機にオンとなる（ステップＳａ３）。このとき、本体１０ａにおいては、電力制御部１２が検知信号を取得し、これを契機に制御部１１や表示制御部１５に電力の供給を開始する。これにより、制御部１１は、スキャナ１０ｂから供給されたコード情報を取得することが可能となる。
【００２７】
次に、本体１０ａの制御部１１は、上述した所定の規則に基づいてコード情報を解析し、そのコード情報が示す操作の内容を特定する（ステップＳａ５）。このとき、制御部１１は、特定した操作によって表示すべき表示データを特定できる場合には、その表示データも特定する。そして、制御部１１は、操作の内容に応じた表示データを生成または取得する処理を実行する（ステップＳａ６）。この処理により、表示制御部１５に供給すべき表示データが準備されると、制御部１１はこの表示データを表示制御部１５に供給する（ステップＳａ７）。なお、このとき制御部１１は、供給した表示データを特定する情報（例えば、ファイル名や、タイトル情報およびページ情報）を表示履歴として記憶する。
【００２８】
その後、表示制御部１５が表示データに応じた駆動電圧を表示部１６に供給し、表示データを表す画像（すなわちページ）を表示させると、電力制御部１２は、制御部１１および表示制御部１５への電力供給を停止させる。すなわち、本体１０ａは、オフとなる（ステップＳａ８）。
【００２９】
ここで、図５を参照し、ステップＳａ６の処理を詳細に説明する。同図に示すように、制御部１１は、記憶部１３を参照し、特定した操作によって表示すべき表示データが記憶されているか否かを判断する（ステップＳａ６１）。ここで、必要な表示データが記憶されている場合（ステップＳａ６１：ＹＥＳ）、制御部１１は、その表示データを記憶部１３から読み出すことにより、これを取得する（ステップＳａ６２）。
【００３０】
一方、必要な表示データが記憶されていない場合（ステップＳａ６１：ＮＯ）、制御部１１は、必要な表示データを生成するための処理を行う。本実施形態において、この場合に該当するのは、ユーザがウェブページを閲覧している場合であって、表示を指示されたウェブページが以前に閲覧されたことがないページである場合などである。この場合、制御部１１は、必要な表示データを生成するために必要な情報（例えば、ウェブページ）を通信部１４を介して取得する（ステップＳａ６３）。続いて、制御部１１は、取得した情報に基づいて表示データを生成する（ステップＳａ６４）。
【００３１】
なお、制御部１１は、ステップＳａ６４において表示データを生成するに際して、取得した情報に識別コードで表せる情報が含まれている場合には、その表示内容に識別コードを含んだ表示データを生成する。例えば、制御部１１がウェブページを取得し、取得したウェブページに他のウェブページ等へのリンク（ハイパーリンク）が含まれていれば、そのリンクを表す識別コードを含めた表示データを生成する。識別コードの位置は、対応するリンクの近傍であってもよいし、他の位置であってもよい。
【００３２】
表示装置１０の動作は、以上のとおりである。続いて、上述した動作を具体的な例を示して説明する。
例えば、メニュー画面が表示され、ユーザがウェブページの閲覧を選択した場合であれば、制御部１１は、その旨を表すコード情報を取得し、所定のウェブページを表す表示データを生成する。このとき表示対象とするウェブページは、あらかじめ決められたページであってもよいし、この表示装置１０において以前に表示された最後のページであってもよい。
【００３３】
図６は、表示装置１０によるあるウェブページの表示内容を例示する図である。同図に示すように、ウェブページにリンク（下線を付した文字列）が含まれる場合には、制御部１１は、リンクの近傍に識別コードが表示されるような表示データを生成する。すなわち、この識別コードは、対応するリンクのＵＲＩ（Uniform Resource Identifier）をバーコードで表したものである。なお、表示内容に識別コードを含む場合には、同図の括弧や矢印のような、リンクと識別コードの対応関係を明確にする文字や記号を付加してもよい。このような画面が表示されると、ユーザは、表示面に表示された識別コードをスキャンし、新たなウェブページを閲覧することも可能となる。
【００３４】
なお、メニュー画面を表示させることなくウェブページを閲覧することも、もちろん可能である。例えば、ポスターや広告等の印刷物にあらかじめＵＲＩを表す識別コードが印刷されていれば、表示装置１０は、ユーザがこの識別コードをスキャンすることによって、当該印刷物に係るウェブページを閲覧させることができる。
【００３５】
続いて、記憶部１３に記憶された文書を表示する場合について説明する。例えば、タイトル情報がそれぞれ「文書Ａ」、「文書Ｂ」、「文書Ｃ」である３種類の文書を表す複数の表示データが記憶部１３に記憶されている場合において、ユーザがメニュー画面から文書の一覧を表示させる操作を行うと、制御部１１は、図７のような表示内容の表示データを生成する。すなわち、制御部１１は、「文書Ａ」、「文書Ｂ」または「文書Ｃ」を表す３つの識別コードを含む表示データを生成する。ここで、「文書Ａ」を閲覧する場合であれば、ユーザは、「文書Ａ」を表す文字列の直下にある識別コードをスキャンする。すると、制御部１１は、タイトル情報が「文書Ａ」であり、かつ、ページ情報が第１ページを表している表示データを記憶部１３から読み出して取得し、表示制御部１５に供給する。これにより、ユーザは、「文書Ａ」なる文書の閲覧を開始することができる。
【００３６】
ユーザは、表示されているページを読み終えると、次のページを表示させる指示を行う。この指示は、例えば、操作ポイントＰ２（図１参照）の識別コードをスキャンすることにより行われる。制御部１１は、操作ポイントＰ２の識別コードに相当するコード情報を取得すると、現在表示中の表示データを表示履歴に基づいて特定し、次に供給すべき表示データを特定する。例えば、表示中の表示データのタイトル情報が「文書Ａ」、ページ情報が「１（第１ページ）」である場合、制御部１１は、供給すべき表示データとして、タイトル情報が「文書Ａ」、ページ情報が「２」である表示データを特定し、これを表示制御部１５に供給する。
【００３７】
なお、１つ前のページを読み直す場合には、ユーザは、操作ポイントＰ１の識別コードをスキャンする。この場合も、制御部１１は、現在表示中の表示データを表示履歴に基づいて特定し、表示中の表示データの直前に供給した表示データを特定する。
また、ユーザは、このような操作を繰り返してある文書を読み終えた場合には、操作ポイントＰ３の識別コードをスキャンしてメニュー画面を表示させ、別の文書やウェブページを表示させることができる。
【００３８】
以上のように、本実施形態の表示装置１０は、記憶性表示体に好適なインタフェースを提供することが可能である。本実施形態の表示装置１０によれば、本体１０ａは、スキャナ１０ｂから供給される検知信号を用いることにより、表示データの生成または取得や、表示面の書き換えを行うときだけオンにし、その他の場合はオフにすることが可能となる。これにより、表示装置１０は、本体１０ａが動作するときだけオンになるため、不要な電力消費を低減させることが可能となる。なお、このような動作を実現できるのは、電圧を印加し続けなくても同一の表示状態を維持することが可能な記憶性表示体を用いるからこそである。
【００３９】
また、本実施形態の表示装置１０によれば、ユーザの操作に応じて、連続するページや関連するページを次々と表示させることが可能である。そのため、表示装置１０は、例えば、ハイパーテキストを用いたウェブページのような情報を表示したり、小説等のいわゆるページ物の情報を表示したりすることが可能となる。
【００４０】
また、本実施形態の識別コードは、表示が静的であり、カーソル等のように表示が動的に変化するものではない。そのため、本実施形態の表示装置１０による表示は、表示対象のページを変更するときにだけ書き換えられ、その他のときには書き換える必要がない。それゆえ、本実施形態のようなインタフェースは、記憶性表示体を用いる場合に特に好適な態様であるといえる。
【００４１】
加えて、本実施形態の識別コードは、表示面のいかなる位置に設けることもできるし、表示面以外の部分にも設けることができるため、多様な操作が実現可能である。また、この識別コードは、表示装置１０以外の印刷物等に形成することも容易であるため、情報の取得の契機をさまざまな場所に設けることが可能である。
【００４２】
なお、本実施形態の表示装置１０を２台用いれば、一方の表示装置１０の表示面に識別コードを表示させるとともに、他方の表示装置１０でこれを読み取り、読み取ったコード情報に対応する表示を行うことが可能である。このようにすれば、一方の表示装置１０の表示内容を維持したまま、その表示内容と関連する情報を他方の表示装置１０に表示させることが可能となる。
【００４３】
［第２実施形態］
本発明の第２の実施形態は、識別コードの読み取りや表示データの生成または取得に係る構成を表示装置とは別体に設けたものである。本実施形態の構成は、上述した第１実施形態と共通する部分があるため、かかる部分の説明は適宜省略する。すなわち、本実施形態では、第１実施形態と異なる部分を中心に説明する。
【００４４】
図８は、本実施形態の表示システムを示すブロック図である。同図に示すように、本実施形態の表示システム２００は、表示装置２０と、書換装置３０とを備える。表示装置２０は、データ受信部２１と、表示制御部２２と、表示部２３とを備える。書換装置３０は、制御部３１と、記憶部３２と、通信部３３と、読取部３４と、データ送信部３５とを備える。書換装置３０は、例えば、いわゆるクレードルのように表示装置２０を着脱可能にした構成であると望ましい。なお、特に図示はしないが、１台の書換装置３０に対して複
数台の表示装置２０を用いる構成としてもよい。
【００４５】
データ受信部２１は、書換装置３０と接続する通信インタフェースであり、書換装置３０から表示データを取得（受信）する。データ受信部２１は、取得した表示データを表示制御部２２に供給する。表示制御部２２は、表示データの供給元がデータ受信部２１である点を除けば、第１実施形態の表示制御部１５と同様の構成である。また、表示部２３は、第１実施形態の表示部１６と同様の構成である。
【００４６】
制御部３１、記憶部３２、通信部３３および読取部３４は、それぞれ、第１実施形態の制御部１１、記憶部１３、通信部１４または読取部１７と同様の構成である。ただし、制御部３１は、表示データをデータ送信部３５に供給する。データ送信部３５は、表示装置２０と接続する通信インタフェースであり、制御部３１から供給された表示データを表示装置２０に供給（送信）する。また、データ送信部３５は、表示装置２０が接続されているか否かを検知可能に構成されており、表示装置２０が接続されているときには、表示装置２０に電力を供給する。なお、データ送信部３５とデータ受信部２１とは、データの送受信が可能であれば、有線で接続されてもよいし、無線で接続されてもよい。
【００４７】
表示システム２００の構成は、以上のとおりである。この構成のもと、書換装置３０は、読み取ったコード情報に応じた表示データを生成または取得し、表示装置２０に送信する。表示装置２０は、書換装置３０から電力の供給を受け、受信した表示データに応じた表示を行う。
書換装置３０は、２種類のイベントを契機に動作を開始する。そのイベントとは、一方が読取部３４からの検知信号の取得であり、他方が表示装置２０の接続の検知である。書換装置３０は、これらのイベントが発生すると、それぞれのイベントに応じた動作を行う。
【００４８】
図９は、イベントが発生したときの書換装置３０の動作を示すフローチャートである。同図に示すように、書換装置３０の制御部３１は、まず、発生したイベントがいずれであるかを判断する（ステップＳｂ１）。発生したイベントが検知信号の取得である場合、制御部３１は、識別コードを読み取って得られたコード情報を読取部３４から取得する（ステップＳｂ２）。続いて、制御部３１は、取得したコード情報を解析し、そのコード情報が示す操作の内容を特定する（ステップＳｂ３）。そして、制御部３１は、操作の内容に応じた表示データを生成または取得する処理を実行する（ステップＳｂ４）。なお、ステップＳｂ４の処理は、第１実施形態のステップＳａ６の処理（図５参照）と同様のものである。そして、制御部３１は、生成または取得した表示データを記憶部３２に記憶させる（ステップＳｂ５）。
【００４９】
また、発生したイベントが表示装置２０の接続の検知である場合、制御部３１は、データ送信部３５を介して表示装置２０に電力を供給させる（ステップＳｂ６）。これにより、表示装置２０は、表示の書き換えが可能な状態になる。すると、制御部３１は、ステップＳｂ５において記憶させた表示データを記憶部３２から読み出し、表示装置２０に供給する（ステップＳｂ７）。そして、表示装置２０がこの表示データに応じた表示を行うと、制御部３１は、表示装置２０への電力の供給を停止させる（ステップＳｂ８）。
【００５０】
書換装置３０の動作は、以上のとおりである。書換装置３０がこのような動作を実行することにより、本実施形態の表示システム２００においては、第１実施形態の表示装置１０と同様の効果が奏される。加えて、本実施形態の表示システム２００によれば、識別コードの読み取りや表示データの取得・生成に係る構成を別体にすることにより、表示装置２０をより小型にすることが可能となる。
【００５１】
また、本実施形態の表示装置２０は、識別コードの読み取りや表示データの取得・生成に係る構成を別体としたため、電源を搭載しない構成とすることも可能である。これは、表示装置２０が表示部２３に記憶性液晶を採用したため、書き換え時以外は実質的に無電力で表示状態を維持できるからである。例えば、データ送信部３５とデータ受信部２１とがＵＳＢ（Universal Serial Bus）やＩＥＥＥ（Institute of Electrical and Electronic Engineers）１３９４に準拠した構成であれば、書換装置３０は、表示データを送信すると同時に電力を供給することが可能となる。このような構成とすれば、表示装置２０のより一層の小型化や軽量化を実現することができ、表示装置２０の携帯性を向上させることができる。
【００５２】
［第３実施形態］
本発明の第３の実施形態は、表示装置と書換装置とを設ける点においては第２実施形態と同様であるが、これらの装置間でのデータ通信の態様が第２実施形態と異なる。具体的には、本実施形態においては、データ通信にＲＦＩＤ（Radio Frequency IDentification）を用いている。
なお、本実施形態においても、重複する説明は適宜省略し、第２実施形態と異なる部分を中心に説明する。
【００５３】
図１０は、本実施形態の表示システムを示すブロック図である。同図に示すように、本実施形態の表示システム３００は、表示装置４０と、書換装置５０とを備える。表示装置４０は、それぞれ、ＲＦＩＤ受信部４１と、表示制御部４２と、表示部４３とを備える。書換装置５０は、制御部５１と、記憶部５２と、通信部５３と、読取部５４と、ＲＦＩＤ送信部５５とを備える。
なお、本実施形態においては、説明の便宜上、１台の書換装置５０に対して複数台の表示装置４０を利用する状況を想定する。また、以下において、これらの表示装置４０を区別する必要がある場合には、「表示装置４０ａ」、「表示装置４０ｂ」、「表示装置４０ｃ」というように、符号の末尾にアルファベットを付して区別するものとする。
【００５４】
ＲＦＩＤ送信部５５は、いわゆるＲＦＩＤリーダライタと同様の機能を有する。ＲＦＩＤ送信部５５は、より詳細には、変調部５５１と、コイル５５２とを備える。変調部５５１は、搬送波を発生させ、この搬送波に変調を行う。変調部５５１は、搬送波に対して表示データに応じた変調を行う。なお、変調の方式は任意であり、周知の方式を用いてよい。変調部５５１は、変調された搬送波、すなわち変調波を、コイル５５２に供給する。コイル５５２は、螺旋状に形成された導体であり、供給された変調波に応じて中心の磁束を変化させる。
【００５５】
ＲＦＩＤ受信部４１は、いわゆるＲＦＩＤタグと同様の機能を有する。ＲＦＩＤ受信部４１は、より詳細には、コイル４１１と、取得処理部４１２とを備える。コイル４１１は、螺旋状に形成された導体であり、ＲＦＩＤ送信部５５から送信された電磁波を受信する。コイル４１１は、例えば、巻回された導線のような構成であってもよいし、基板に印刷やエッチングの要領で形成された構成であってもよい。なお、コイル４１１は、表示装置４０のいずれの位置の識別コードを読み取った場合であっても書換装置５０からの電磁波を受信できるような位置に設けられているのが望ましい。取得処理部４１２は、プロセサや各種の信号処理回路、メモリなどを備え、コイル４１１が受信した電磁波から表示データと電力とを取得し、表示制御部４２に供給する。取得処理部４１２は、受信した電磁波を復調し、表示データを取得する。また、取得処理部４１２は、受信した電磁波に対して整流や平滑化等の処理を施し、電力を取得する。
なお、表示装置４０または書換装置５０において、ＲＦＩＤ受信部４１およびＲＦＩＤ送信部５５を除いた各部は、第２実施形態の同名の構成要素とほぼ同様の機能を有する。
【００５６】
表示システム３００の構成は、以上のとおりである。この構成のもと、ユーザは、印刷または表示されている識別コードに書換装置５０を接近させ、その識別コードをスキャンする。このとき、ユーザは、複数の表示装置４０のいずれかに書換装置５０を接近させ、その表示装置４０に印刷または表示されている識別コードをスキャンしてもよいし、それ以外の識別コードをスキャンしてもよい。識別コードをスキャンし、コード情報を取得すると、書換装置５０は、表示データを生成または取得し、これを記憶部５２に記憶する。
【００５７】
また、表示装置４０の書き換えを行う場合、ユーザは、書換装置５０と表示装置４０とを所定の距離以下に接近させ、ＲＦＩＤ受信部４１とＲＦＩＤ送信部５５とを通信可能な状態にさせる。ＲＦＩＤ受信部４１とＲＦＩＤ送信部５５とが通信可能な状態になると、表示装置４０は、電力の供給を受けて動作可能な状態になる。表示装置４０は、この状態で書換装置５０から表示データの供給を受け、供給された表示データに応じた書き換えを行う。このとき、書換装置５０は、記憶部５２に記憶した表示データを表示装置４０に供給する。
【００５８】
このように、本実施形態の表示システム３００によれば、複数の表示装置４０を同時に用いて、それぞれに表示データを供給することが可能となる。これにより、例えば、表示装置４０ａにウェブページを表示させ、表示装置４０ｂに当該ウェブページにリンクされたウェブページを表示させたりすることが可能となる。
【００５９】
また、本実施形態の表示装置４０は、電磁誘導現象を用いて電力を取得することが可能である。すなわち、本実施形態の表示装置４０は、内部の電源を用いることなく動作することが可能である。なお、この表示装置４０は、ユーザが識別コードをスキャンしたときに電力を取得し、この電力を用いて表示を書き換えることも可能である。
【００６０】
［変形例］
本発明は、上述した実施形態のみならず、その他の形態でも実施が可能である。例えば、第１実施形態の構成の一部を第２実施形態の同様の構成と置き換えるなど、各々を適宜に組み合わせて実施してもよい。また、上述した実施形態においては、あらかじめ記憶された文書の表示データを表示させる態様と、ネットワークから取得したデータに基づいて表示データを生成する態様とを説明したが、これらの一方のみを行うように構成してもよい。
【００６１】
本発明に係る識別コードは、バーコードに限定されない。例えば、いわゆる２次元コードを識別コードとして用いてもよい。あるいは、バーコードや２次元コードのような符号と同様に、所定の規則で情報を記述することが可能であるならば、図形やマークを識別コードとしてもよい。
また、上述した実施形態においては、識別コードはバーコードであるとしたが、バーコード以外の符号であってもよい。なお、ここでいう「符号」には、英数字等の文字も含まれる。文字も、所定の規則で表されているものであるし、また、いわゆる文字コードとしてコンピュータが認識することも容易であるからである。なお、文字を識別コードとして用いる場合には、コード情報を生成するに際して、いわゆるＯＣＲ（Optical Charactor Recognition）機能を用いればよい。
また、文字を認識できる場合であれば、印刷または表示された内容をそのまま識別コードとして用いることもできる。例えば、印刷または表示されたＵＲＩをスキャンし、そのＵＲＩに相当するウェブページを表示させることも可能である。
【００６２】
上述した実施形態は、１回のスキャン結果に基づいて表示装置の表示を制御する態様であったが、複数回のスキャン結果に基づいて表示装置の表示を制御する態様であってもよい。例えば、識別コードをスキャンすることにより得られるコード情報を記憶部１３（ま
たは３２、５２）に複数記憶し、制御部１１（または３１、５１）は、記憶された複数のコード情報が表す複数の識別コードを表示内容に含んだ表示データを生成する態様としてもよい。このような態様にすると、ユーザがスキャンした複数の識別コードを、まとめて一覧表示することが可能となる。それゆえ、例えば、多数の表示装置を同時に用いる場合において、１台の表示装置に識別コードの一覧を表示させ、一覧表示された識別コードが表すページをその他の表示装置にそれぞれ表示させる、といった利用も可能となる。
【００６３】
上述した第２実施形態または第３実施形態において、表示装置２０（または４０）は、各々を識別する識別情報を記憶する構成としてもよい。また、かかる識別情報は、データ受信部２１（またはＲＦＩＤ受信部４１）を介して書換装置３０（または５０）に供給される構成としてもよい。このような構成とすれば、書換装置３０（または５０）は、各々の表示装置２０（または４０）についての表示履歴を記憶することが可能となる。
また、かかる場合においては、表示装置２０（または４０）に印刷または表示される識別コードに各々の識別情報が含まれるようにしてもよい。このようにすれば、ユーザがスキャンを行った識別コードがいずれの表示装置２０（または４０）のものであるかを認識することが可能となる。
【００６４】
上述した実施形態においては、記憶性表示体の一例として記憶性液晶を示したが、他の記憶性表示体を用いることも可能である。記憶性を有するその他の表示体としては、例えば、マイクロカプセル型電気泳動方式の表示体、いわゆるＥＰＤ（ElectroPhoretic Display）などが挙げられる。
【図面の簡単な説明】
【００６５】
【図１】本発明に係る表示装置（記憶性表示装置）の外観を示す図である。
【図２】表示装置の構成を示すブロック図である。
【図３】メニュー画面の一例を示す図である。
【図４】表示装置の動作を示すシーケンスチャートである。
【図５】表示装置の動作を示すフローチャートである。
【図６】表示装置による表示内容の一例を示す図である。
【図７】表示装置が生成する表示データの一例を示す図である。
【図８】本発明に係る表示システムを示すブロック図である。
【図９】書換装置の動作を示すフローチャートである。
【図１０】本発明に係る表示システムを示すブロック図である。
【符号の説明】
【００６６】
１０、２０、４０…表示装置、３０、５０…書換装置、１１、３１、５１…制御部、１３、３２、５２…記憶部、１４、３３、５３…通信部、１７、３４、５４…読取部、１５、２２、４２…表示制御部、１６、２３、４３…表示部、２１…データ受信部、３５…データ送信部、４１…ＲＦＩＤ受信部、５５…ＲＦＩＤ送信部、２００、３００…表示システム
【図１】
2008242155.tif 000003
【図２】
2008242155.tif 000004
【図３】
2008242155.tif 000005
【図４】
2008242155.tif 000006
【図５】
2008242155.tif 000007
【図６】
2008242155.tif 000008
【図７】
2008242155.tif 000009
【図８】
2008242155.tif 000010
【図９】
2008242155.tif 000011
【図１０】
2008242155.tif 000012